(57)【要約】【課題】耐トラッキング性に優れたテーブルタップを提供する【解決手段】一対の栓刃（図示せず）を有する差し込みプラグ（図示せず）を複数接続可能なテーブルタップ１において、前記栓刃を受ける導電部材（図示せず）を収納すると共にスリット７により二股状に分岐された一対の分岐部８ａ、８ｂを有する外郭２を備え、前記１対の分岐部８ａ、８ｂの一方の上面に前記一対の栓刃の一方が差し込まれる差し込み口Ａ５を、前記１対の分岐部８ａ、８ｂの他方の上面に前記一対の栓刃の他方が差し込まれる差し込み口Ｂ６をそれぞれ配したもので、一対の分岐部８ａ、８ｂ間にスリット７があるので一対の差し込み口Ａ５、差し込み口Ｂ６間にゴミが堆積することがなくなり、塵埃によるトラッキング現象の発生を確実に防止することができる。【選択図】図１
2017216217.tif 000002
【特許請求の範囲】
【請求項１】
一対の栓刃を有する差し込みプラグを複数接続可能なテーブルタップにおいて、前記栓刃を受ける導電部材を収納すると共にスリットにより二股状に分岐された一対の分岐部を有する外郭を備え、前記１対の分岐部の一方の上面に前記一対の栓刃の一方が差し込まれる差し込み口Ａを、前記１対の分岐部の他方の上面に前記一対の栓刃の他方が差し込まれる差し込み口Ｂをそれぞれ配したテーブルタップ。
【請求項２】
１対の分岐部の一方の端面に差し込みプラグの一対の栓刃の一方が差し込まれる差し込み口Ｃを、前記１対の分岐部の他方の端面に前記一対の栓刃の他方が差し込まれる差し込み口Ｄをそれぞれ配した請求項１に記載のテーブルタップ。
【請求項３】
一対の分岐部を連結する連結部をスリット内又は前記スリットの長手方向の開口部に設けた請求項１又は２に記載のテーブルタップ。
【請求項４】
外郭を上ケースと下ケースで構成し、前記上ケースと前記下ケースの少なくとも一方に一体に設けたリブで連結部を形成した請求項３に記載のテーブルタップ。
【請求項５】
外郭を上ケースと下ケースで構成し、スリットを前記上ケースに設けたスリット上と前記下ケースに設けたスリット下で構成し、前記下ケースに前記スリット下の長手方向の開口部を塞ぐように設けた壁で連結部を形成した請求項３に記載のテーブルタップ。
【請求項６】
請求項１〜５のいずれか１項に記載のテーブルタップと、差し込みプラグと、前記テーブルタップ内の導電部材と前記差し込みプラグとを電気的に接続する延長コードを備えた延長コードセット。
【発明の詳細な説明】
【技術分野】  本発明は、テーブルタップおよび延長コードセットに関するものである。
【背景技術】  テーブルタップの差し込みプラグを受ける上面に埃が付着しそれが湿気を帯びてくると、差し込みプラグの１対の栓刃間でその埃を通して微弱な電流が流れ熱を帯びてくる。それによりテーブルタップの差し込みプラグの栓刃の差し込み口間に炭化導電路が形成される、いわゆるトラッキング現象が発生し火災につながるという問題があった。
このような問題を解決するために、従来のテーブルタップは、ユリアなど耐熱性および耐トラッキング性に優れた材料からなると共に差し込みプラグの栓刃の差し込み口を有する内ケースと、塩化ビニルなど耐衝撃性に優れた熱可塑性樹脂からなる外シェルで構成され、栓刃の差し込み口部分を除いて内ケースを外シェルで包むようにしたテーブルタップが提案されている（例えば、特許文献１参照）。
また、テーブルタップではないが、差し込みプラグの一対の栓刃の差し込み口間に浅い溝を形成し、一対の栓刃間の沿面距離を長くして耐トラッキング性を向上させるようにしたものも提案されている（例えば、特許文献２参照）。
【先行技術文献】
【特許文献】
【特許文献１】特開２０００−１８８１５９号公報
【特許文献２】特開平９−１１５５８６号公報
【発明の概要】
【発明が解決しようとする課題】  しかしながら、上記特許文献１に記載されたような従来のテーブルタップの構成では、耐熱性および耐トラッキング性に優れた高価な樹脂で成形された内ケースが不可欠なため、材料コストは勿論、部品点数も増えるので組み立てコストも増加するという課題があった。
また、上記特許文献２に記載された差し込みプラグの浅い溝を、床などに置かれて埃が堆積しやすいテーブルタップに採用したところで、トラッキング現象を防止するには全く不十分であった。
本発明は、上記従来の課題を解決するもので、安価な構成で耐トラッキング性が飛躍的に向上した安全なテーブルタップ及び安全性に優れた延長コードセットを提供することを目的とする。
【課題を解決するための手段】  上記従来の課題を解決するために本発明のテーブルタップは、一対の栓刃を有する差し込みプラグを複数接続可能なテーブルタップにおいて、前記栓刃を受ける導電部材を収納すると共にスリットにより二股状に分岐された一対の分岐部を有する外郭を備え、前記１対の分岐部の一方の上面に前記一対の栓刃の一方が差し込まれる差し込み口Ａを、前記１対の分岐部の他方の上面に前記一対の栓刃の他方が差し込まれる差し込み口Ｂをそれぞれ配したもので、一対の分岐部間にスリットがあるので一対の差し込み口Ａ，Ｂ間にゴミが堆積することがなくなり、塵埃によるトラッキング現象の発生を確実に防止することができる。
また、本発明の延長コードセットは、請求項１〜５のいずれか１項に記載のテーブルタップと、差し込みプラグと、前記テーブルタップ内の導電部材と前記差し込みプラグとを電気的に接続する延長コードを備えたもので、耐トラッキング性能が飛躍的に向上し安全性に優れた延長コードセットを提供することができる。
【発明の効果】  本発明のテーブルタップは、安価な構成で耐トラッキング性が飛躍的に向上するとともに、このテーブルタップを延長コードセットに用いることにより安全性に優れた延長コードセットを提供することができる。
【図面の簡単な説明】
【図１】（ａ）本発明の実施の形態１におけるテーブルタップの外観斜視図、（ｂ）同テーブルタップの裏面斜視図、（ｃ）図１（ａ）のＡ矢視図
【図２】同テーブルタップの分解斜視図
【図３】図１（ａ）のＢ−Ｂ拡大断面図
【図４】同テーブルタップの他の例を示す斜視図
【図５】本発明の実施の形態２におけるテーブルタップの外観斜視図
【図６】（ａ）本発明の実施の形態３におけるテーブルタップの外観斜視図、（ｂ）図６（ａ）のＣ矢視図
【図７】（ａ）同テーブルタップの他の例を示す裏面斜視図、（ｂ）図７（ａ）のＤ矢視図
【図８】本発明の実施の形態４における延長コードセットの外観斜視図
【発明を実施するための形態】
第１の発明は、一対の栓刃を有する差し込みプラグを複数接続可能なテーブルタップにおいて、前記栓刃を受ける導電部材を収納すると共にスリットにより二股状に分岐された一対の分岐部を有する外郭を備え、前記１対の分岐部の一方の上面に前記一対の栓刃の一方が差し込まれる差し込み口Ａを、前記１対の分岐部の他方の上面に前記一対の栓刃の他方が差し込まれる差し込み口Ｂをそれぞれ配したもので、一対の分岐部間にスリットがあるので一対の差し込み口Ａ，Ｂ間にゴミが堆積することがなくなり、塵埃によるトラッキング現象の発生を確実に防止することができる。
第２の発明は、特に、第１の発明の１対の分岐部の一方の端面に差し込みプラグの一対の栓刃の一方が差し込まれる差し込み口Ｃを、前記１対の分岐部の他方の端面に前記一対の栓刃の他方が差し込まれる差し込み口Ｄをそれぞれ配したもので、テーブルタップの外郭をわずかに長くするだけで差し込みプラグを一個余分に接続することができる。
第３の発明は、特に、第１又は第２の発明の一対の分岐部を連結する連結部をスリット内又は前記スリットの長手方向の開口部に設けたもので、長いテーブルタップの使用時に、連結部により一対の分岐部の根元部に余分な力が加わることが無いので、剛性に優れたテーブルタップを提供することができる。
第４の発明は、特に、第３の発明の外郭を上ケースと下ケースで構成し、前記上ケースと前記下ケースの少なくとも一方に一体に設けたリブで連結部を形成したもので連結部を容易に形成することができる。
第５の発明は、特に、第３の発明の外郭を上ケースと下ケースで構成し、スリットを前記上ケースに設けたスリット上と前記下ケースに設けたスリット下で構成し、前記下ケースに前記スリット下の長手方向の開口部を塞ぐように設けた壁で連結部を形成したもので、連結部を容易に形成することができる。
第６の発明に係る延長コードセットは、請求項１〜５のいずれか１項に記載のテーブルタップと、差し込みプラグと、前記テーブルタップ内の導電部材と前記差し込みプラグとを電気的に接続する延長コードを備えたもので、耐トラッキング性能が飛躍的に向上し安全性に優れた延長コードセットを提供することができる。
以下、本発明の実施の形態について、図面を参照しながら説明する。なお、この実施の形態によって本発明が限定されるものではない。
（実施の形態１）
図１（ａ）は、本発明の実施の形態１におけるテーブルタップの外観斜視図、図１（ｂ）は、同テーブルタップの裏面斜視図、図１（ｃ）は、図１（ａ）のＡ矢視図、図２は、同テーブルタップの分解斜視図、図３は、図１（ａ）のＢ−Ｂ拡大断面図である。
図１〜３において、本実施の形態におけるテーブルタップ１は、ＡＢＳなどの熱可塑性樹脂またはユリアなどの熱硬化性樹脂で成形された上ケース３と、同じくＡＢＳなどの熱可塑性樹脂またはユリアなどの熱硬化性樹脂で成形された下ケース４から構成された外郭２と、銅や銅合金などの導電性に優れた材料からなり外郭２に収納されると共に電気器具（図示せず）に接続された電源コード（図示せず）の先端に取り付けられた差し込みプラグ（図示せず）の栓刃（図示せず）を受ける一対の導電部材９で構成されている。
外郭２はスリット７により二股状に分岐された一対の分岐部８ａ、８ｂを備えている。上ケース３の分岐部８ａを形成する部分の上面には差し込みプラグの一対の栓刃の一方が差し込まれる差し込み口Ａ５が、上ケース３の分岐部８ｂを形成する部分の上面には差し込みプラグの一対の栓刃の他方が差し込まれる差し込み口Ｂ６がそれぞれ複数設けられている。
本実施の形態におけるテーブルタップ１は、図１に示すように２つの差し込みプラグが接続できるように、差し込み口Ａ５と差し込み口Ｂ６が２対設けられている。
図２に示すように上ケース３は、延長コード１０に一体成型された保護部１０ａの上部を押さえる押さえ部３ａを備えている。
下ケース４は、一対の導電部材９のそれぞれの下部９ａを収納、保持する一対の保持部４ａと、延長コード１０の保護部１０ａの一側を収納・保持する保持部４ｂとを備えている。スリット７は、上ケース３に設けたスリット上３ｄと、下ケース４に設けられ、スリット上３ｄに対向するスリット下４ｅから構成されている。
各導電部材９の断面形状は、図３に示すように、上端部９ｂは、差し込みプラグの栓刃の先端が差し込みやすいように逆ハの字状に開き、下部９ａは、略Ｕ字状に形成されている。さらに、導電部材９の上部には長手方向に沿って切り込み９ｃが設けられ、一端には、延長コード１０の芯線１０ｂを接続するための接続片９ｄが設けられている。芯線１０ｂと接続片９ｄとの接続は、図に示すような加締めや、図示しないがスポット溶接、ハンダ付けでもよい。
本実施の形態におけるテーブルタップ１は、以下のようにして組み立てられる。
最初に延長コード１０の芯線１０ｂを一対の導電部材９のそれぞれの接続片９ｄに加締め、その一対の導電部材９の下部９ａを下ケース４に設けた保持部４ａに挿入し、延長コード１０の保護部１０ａの下部を下ケース４の保持部４ｂに収納する。次に、下ケース４の開口部４ｃを覆うように上ケース３の開口側を重ね、超音波溶着またはねじ止めなどの手段で上ケース３を下ケース４に固定する。
上ケース３と下ケース４を固定することで、上ケース３に設けたスリット上３ｄと、下ケース４に設けられたスリット下４ｅで外郭２の上面と下面を連通するスリット７が形成される。また、延長コード１０の保護部１０ａの下部は下ケース４の保持部４ｂで保持され、保護部１０ａの上部は上ケース３に設けた押さえ部３ａで押さえつけられるので延長コード１０の保護部１０ａはテーブルタップ１の外郭２から外れることは無い。
以上のように本実施の形態におけるテーブルタップ１は、一対の分岐部８ａ、８ｂ間にスリット７があるので一対の差し込み口Ａ５と差し込み口Ｂ６間にゴミが堆積することがなくなり、塵埃によるトラッキング現象の発生を確実に防止することができるので安全なテーブルタップ１を提供することができる。
上記実施の形態では、差し込み口Ａ５と差し込み口Ｂ６をそれぞれ２個ずつ設けたが、図４に示すテーブルタップ１２のように差し込み口Ａ５と差し込み口Ｂ６を２つの差し込みプラグ１１ａ、１１ｂが接続できるように長穴状に形成してもよい。このようにすることで、隣り合う差し込みプラグ１１ａ、１１ｂを隣接させて使用することができるので、テーブルタップ１の長さを短くでき、安価でしかも小型化されたテーブルタップを提供することができる。
（実施の形態２）
図５は、本発明の実施の形態２におけるテーブルタップの外観斜視図である。なお上記実施の形態１におけるテーブルタップと同一部分には同一符号を付してその説明を省略する。
本実施の形態におけるテーブルタップ１３は、図５に示すように、分岐部８ａの端面に差し込みプラグの一対の栓刃の一方が差し込まれる差し込み口Ｃ１４を、分岐部８ｂの端面に一対の栓刃の他方が差し込まれる差し込み口Ｄ１５をそれぞれ配したものである。
差し込み口Ｃ１４、差し込み口Ｄ１５の夫々は、上ケース３に設けた切り欠き３ｂと下ケース４に前記切り欠き３ｂに対向するように設けられた切り欠き４ｄで形成されるようになっている。
本実施の形態におけるテーブルタップは以上のように構成されているので、実施の形態１におけるテーブルタップ１の外郭をわずかに長くするだけで差し込みプラグを一個余分に接続することができるようになり使用勝手が向上する。
（実施の形態３）
図６（ａ）は、本発明の実施の形態３におけるテーブルタップの外観斜視図、図６（ｂ）は、図６（ａ）のＣ矢視図である。なお上記実施の形態におけるテーブルタップと同一部分には同一符号を付してその説明を省略する。
図６は、５個の差し込みプラグが接続できるように差し込み口Ａ５と差し込み口Ｂ６を５対設けたテーブルタップ１６を示しているが、このように差し込み口Ａ５と差し込み口Ｂ６の数が多くなると分岐部８ａ、８ｂが長くなってたわみやすくなり使用時に分岐部８ａ、８ｂの根元部８ｃで破損する恐れがある。そこで本実施の形態では同図に示すように分岐部８ａと分岐部８ｂの先端側で両者を連結する連結部としてリブ１７をスリット７内に設けたものである。
図６（ｂ）は、リブ１７を上ケース３に一体に設けた例を示しているが、下ケース４に、あるいは上ケース３と下ケース４に跨って設けてもよい。
また、図７に示すテーブルタップ１８のように、下ケース４のスリット下４ｅの長手方向の開口部４ｆを塞ぐように設けた壁４ｇで連結部を形成してもよい。
本実施の形態におけるテーブルタップ１６やテーブルタップ１８は以上のように連結部を備えているので、外郭２が長くなっても使用時に一対の分岐部８ａ、８ｂの根元部８ｃに余分な力が加わることが無いので、剛性に優れたテーブルタップを提供することができる。
（実施の形態４）
図８は、本発明の実施の形態４における延長コードセットの外観斜視図である。なお上記実施の形態におけるテーブルタップと同一部分には同一符号を付してその説明を省略する。
図８において、本実施の形態における延長コードセット２３は、上記実施の形態におけるテーブルタップ１、１２、１３、１６、１８のいずれか一つと、差し込みプラグ１９と、導電部材９と差し込みプラグ１９とを電気的に接続する延長コード２０から構成されている。
本実施の形態における延長コードセット２３は、上記実施の形態で述べた耐トラッキング性に極めて優れたテーブルタップ１、１２、１３、１６、１８いずれかを用いているので、耐トラッキング性能が飛躍的に向上し、発火の恐れが無い安全性に優れた延長コードセットを提供することができる。
【産業上の利用可能性】  以上のように、本発明にかかるテーブルタップは、一対の分岐部間のスリットにより差し込み口間にゴミが堆積することがないのでトラッキング現象が起きることは無く極めて安全なもので、各種延長コードセットに適用できる。
【符号の説明】  １、１２、１３、１６、１８  テーブルタップ
２  外郭
３  上ケース
４  下ケース
４ｇ  壁（連結部）
５  差し込み口Ａ
６  差し込み口Ｂ
７  スリット
８ａ、８ｂ  分岐部
９  導電部材
１０、２０  延長コード
１１  差し込みプラグ
１４  差し込み口Ｃ
１５  差し込み口Ｄ
１７  リブ（連結部）
１９  差し込みプラグ
２３  延長コードセット
【図１】
2017216217.tif 000003
【図２】
2017216217.tif 000004
【図３】
2017216217.tif 000005
【図４】
2017216217.tif 000006
【図５】
2017216217.tif 000007
【図６】
2017216217.tif 000008
【図７】
2017216217.tif 000009
【図８】
2017216217.tif 000010